(57)【要約】  建物又は足場の開放床（３１）上にいる人間が当該床（３１）の開口から誤って転落するのを防止するために役立つ防護柵。当該防護柵は、複数の構造要素（１）と、前記構造要素を一体的な防護柵に組み立てるためのコネクタとを含む。前記コネクタは、少なくとも１つの長さ方向に延在するスロット（１３）が形成された、細長い形状を有する少なくとも１つの第１のコネクタ（２）と、前記少なくとも１つの構造要素（１）に結合される第１コネクタ部（２０）、及び前記第１のコネクタ（２）の前記少なくとも１つの長さ方向に延在するスロット（１３）に係合して前記第１コネクタ部（２０）を前記少なくとも１つの第１のコネクタ（２）に結合する第２コネクタ部（１９）からなる少なくとも１つの第２のコネクタ（１９、２０）とを含む。本発明の防護柵は、安定性を有すると同時に安価で、一体的な防護柵へ組み立てること及び再度分解することを迅速且つ容易に行うことが可能な単純な構造を有する。この防護柵はさらに、任意の開放床の特定の開口用の防護柵において必要となる幅と高さに適合させることができる。
2014510213.tif 000002
【特許請求の範囲】
【請求項１】
建物又は足場の開放床（３１）上にいる人間が当該床（３１）の開口から転落するのを防止するための防護柵であって、複数の構造要素（１）と、前記構造要素を一体的な防護柵に組み立てるためのコネクタ（２、１９、２０、２７、２８、３２）とを備えており、
前記コネクタ（２、１９、２０、２７、２８、３２）が、
少なくとも１つの長さ方向に延在するスロット（１３）が形成された、細長い形状を有する少なくとも１つの第１のコネクタ（２）と、
前記少なくとも１つの構造要素（１）に結合される第１コネクタ部（２０）、及び前記第１のコネクタ（２）の前記少なくとも１つの長さ方向に延在するスロット（１３）に係合して前記第１コネクタ部（２０）を前記少なくとも１つの第１のコネクタ（２）に結合する第２コネクタ部（１９）からなる少なくとも１つの第２のコネクタ（１９、２０）と
を含むことを特徴とする、防護柵。
【請求項２】
前記第２のコネクタ（１９、２０）の前記第１コネクタ部（２０）が、前記少なくとも１つの構造要素（１）に結合されるように適合された取付具（２０）であることと、
前記第２コネクタ部（１９）が、前記取付具（２０）を前記第１のコネクタ（２）にねじ締結するねじ継手（１９）であり、このときねじ（２１）のナット（２４）又は頭部（２２）が前記第１のコネクタ（２）の前記少なくとも１つの長さ方向に延在するスロット（１３）内に配置されることと
を特徴とする、請求項１に記載の防護柵。
【請求項３】
少なくとも１つの構造要素（１）がフランジ（４）を備えて形成されることと、
前記第１コネクタ部（２０）が前記フランジ（４）に係合するフック（２５）を備えて形成されることと
を特徴とする、請求項１又は２に記載の防護柵。
【請求項４】
前記第１のコネクタ（２）が少なくとも１つの管状部（２）であることと、
前記少なくとも１つのスロット（１３）が前記管状部（２）の壁（９）に形成された前記Ｔ字型スロット（１３）又は蟻継ぎ型スロットであることと
を特徴とする、請求項１乃至３のいずれか一項に記載の防護柵。
【請求項５】
前記少なくとも１つの構造要素（１）の縁辺の断面がＴ字形状又は蟻継ぎ形状として形成されていることと、
前記縁辺が、関連する管状部（２）の前記Ｔ字型スロット（１３）又は蟻継ぎ型スロットに適合することと
を特徴とする、請求項４に記載の防護柵。
【請求項６】
各管状部（２）が４つの側部（８、９）を有することと、
Ｔ字型スロット（１３）又は蟻継ぎ型スロットが前記側部のそれぞれに形成されることと
を特徴とする、請求項４に記載の防護柵。
【請求項７】
双方のスロット（１３）が相互に連続するように配置された２つの連続した第１のコネクタ（２）を結合するための、少なくとも１つの第３のコネクタ（２７、２８）を備えることを特徴とする、請求項１乃至６のいずれか一項に記載の防護柵。
【請求項８】
前記第３のコネクタが、両方の前記管状部（２）の長さ方向に沿って前記Ｔ字型スロット（１３）の開口（１４）をカバーするバー（２７）であって、前記管状部（２）の互いに対向するＴ字型スロット（１３）内に頭部（２９）又はナット（３０）が配置されるねじ（２８）によって前記管状部（２）にねじ締結されるバー（２７）であることを特徴とする、請求項７に記載の防護柵。
【請求項９】
前記少なくとも１つの第３のコネクタ（２７、２８）が、前記２つの連続して配置される管状部（２）の両方の少なくとも１つのスロット（１３）に適合するバーであることを特徴とする、請求項７又は８に記載の防護柵。
【請求項１０】
２つの連続した管状部（２）を、それらのＴ字型スロット（１３）又は蟻継ぎ型スロットが相互に連続するように結合するための第４のコネクタ（３２）を備えることを特徴とする、請求項４乃至９のいずれか一項に記載の防護柵。
【請求項１１】
前記第４のコネクタ（３２）が、前記２つの連続して配置された管状部（２）の両方の内部の少なくとも一部に沿って延在するロッド（３２）であることを特徴とする、請求項１０に記載の防護柵。
【請求項１２】
前記ロッド（３２）のためのガイド（１２）が、前記管状部（２）の内壁（１０、１１）によって前記管状部（２）の外側の前記壁（９）に結合された好ましくは中央の管部（１２）で作られることを特徴とする、請求項１１に記載の防護柵。
【請求項１３】
前記ロッド（３２）のための前記ガイド（１２）が、前記Ｔ字型スロット（１３）又は蟻継ぎ型スロットの凹部（１６）の底部で作られることを特徴とする、請求項１２に記載の防護柵。
【請求項１４】
連続して配置された管状部（２）が、前記防護柵においてポストとして機能することと、
前記ロッド（３２）の形態の前記少なくとも１つの第４のコネクタが、前記ポストである前記管状部（２）の最下部の下側開口から突出しており、且つ床（３１）上に前記防護柵を支持するための足部（３８）を備えることと
を特徴とする、請求項１１乃至１３のいずれか一項に記載の防護柵。
【請求項１５】
前記ロッド（３２）が、前記スロット（１３）の凹部１６の底部と前記ガイド（１２）の内側の壁（１０、１１）とに位置する整合する開口（１７、１８）を貫通して延在するねじ（３４）の胴部のようなピンによって、前記２つの連続して配置された管状部（２）の両方に固定されることを特徴とする、請求項１１乃至１４のいずれか一項に記載の防護柵。
【請求項１６】
前記ロッド（３２）が管（３２）であることを特徴とする、請求項１１乃至１５のいずれか一項に記載の防護柵。
【請求項１７】
前記少なくとも１つの構造要素（１）が、４つの縁辺を有する方形又は矩形の形状を有することと、
２つの連続した管状部（２）間の分離部の面が、２つの連続して配置された構造要素（１）の間の分離部の面には配置されないことと
を特徴とする、請求項４乃至１６のいずれか一項に記載の防護柵。
【請求項１８】
前記少なくとも１つの構造要素（１）が、高さと幅を変更するように適合された枠（４６）と、前記枠（４６）がその高さと幅を変更できるように前記枠（４６）に着脱自在に取り付けられるパネル（４７）とからなることを特徴とする、請求項１乃至１７のいずれか一項に記載の防護柵。
【請求項１９】
前記少なくとも１つの構造要素（１）の前記枠（４６）の高さが、防護柵が２つの連続する開放床の間全体にわたって延在するように、変更可能に適合されていることを特徴とする、請求項１８に記載の防護柵。
【請求項２０】
請求項４乃至１９のいずれか一項に記載の、複数の構造要素（１）を複数のコネクタ（２、１９、２０、２７、２８、３２）によって一体的な防護柵に組み立てるための方法であって、
−第１のコネクタ（２）の少なくとも２つを、それらのＴ字型スロット（１３）又は蟻継ぎ型スロットが相互に連続するように配置するステップと、
−前記第１のコネクタ（２）のすべてのガイド（１２）に第４のコネクタ（３２）を挿入することによって、前記少なくとも２つの前記第１のコネクタ（２）を結合するステップと、
−前記Ｔ字型スロット（１３）又は蟻継ぎ型スロットの凹部の底部と、前記ガイド（１２）の壁（１０、１１）とに位置する互いに整合した開口（１７、１８）のそれぞれを貫通するように押し込まれたねじボルト（３４）によって、前記第１のコネクタ（２）のすべてに前記第４のコネクタ（３２）を固定するステップと、
−前記少なくとも２つの第１のコネクタ（２）の前記Ｔ字型スロット（１３）又は蟻継ぎ型スロットに第３のコネクタ（２７、２８）を取り付けることによって、前記第１のコネクタ（２）のすべてを相互に結合するステップと、
−前記第１のコネクタ（２）の長さ方向に延在するスロット（１３）に同時に係合する前記第２のコネクタ（１９、２０）によって、少なくとも１つの構造要素（１）を前記第１のコネクタ（２）の一方又は両方に結合するステップと
を含むことを特徴とする方法。
【請求項２１】
前記構造要素（１）の間の結合を着脱自在とするステップを特徴とする、請求項２０に記載の方法。
【請求項２２】
請求項１乃至１９のいずれか一項に記載の防護柵の使用であって、前記防護柵が壁の後ろ側の空間を取り囲む壁を形成することを特徴とする使用。
【発明の詳細な説明】
【技術分野】
【０００１】
本発明は、建物又は足場の開放床の上にいる人間が当該床の開口から誤って転落するのを防止するための防護柵に関する。防護柵は、複数の構造要素と、前記構造要素を一体的な防護柵に組み立てるためのコネクタとを含む。
【０００２】
本発明は、前記防護柵を組み立てる方法にも関する。
【０００３】
前述の用語である構造要素とは、本発明の文脈においては、二次元方向に比較的大きい広がりを有し、且つ第三の次元の方向には比較的薄く、好ましくはいかなる開口も有さない、又は少なくとも人間の通過を許容する大きさの開口を有さないデバイスをいう。
【背景技術】
【０００４】
複数階の建物の建設中、ある階の周囲に外壁がまだ設けられていない状態になることが多い。同様の状況は、足場の建設中にも存在する。
【０００５】
そのような開放床の上にいる作業者等の人間を、床の開口から誤って転落することから安全に防護し、例えば階下の地面に叩きつけられて重傷を負う危険を負わないようにする必要がある。
【０００６】
長年にわたってこの重要な問題を解決するための多くの試みがなされた結果、各階の床の縁又はその近傍に取り付けられる多種多様な防護柵が開発された。
【０００７】
そのような防護柵は通常、複数の垂直なポストと複数の水平なレールとからなり、各ポストはその端部が開放床に着脱自在に取り付けられ、各レールは当該ポストに着脱自在に取り付けられる。
【発明の概要】
【発明が解決しようとする課題】
【０００８】
米国特許第４，７８７，４７５号にはこの種の防護柵が開示されている。しかし、この既知の防護柵の不利な点は、ポストとレールとの間に複数の開口が残ることである。残念ながら前記開口は、人間が誤ってその開口から転落するのを許容するに十分な大きさのものである。
【０００９】
また、道具や他の物体が前記開口から誤って落とされて下にいる人間に当たることもあり、そのような道具や物体は比較的重いものであることが多いため、その人間が重傷を負うこともあり得る。
【００１０】
前記既知の防護柵の他の不利な点は、そのポストやレールが比較的長く、そのため開放床の縁の近傍の、多くの場合狭い空間において取り扱いが困難且つ危険なことである。
【００１１】
そのような開放床は、多くの場合比較的入りにくく、比較的高い位置にあり、長いポストやレールをそのような床に持ち上げたり、そこから再度地面に下ろしたりすることは一層困難である。
【００１２】
さらに、この既知の防護柵のポスト及びレールはヒンジ等の結合部品によって組み立てられ、このことで防護柵が一層不安定で破損しやすくなる。
【００１３】
その既知の防護柵のポストとレールとの間に十字継手を結合することは、防護柵の組み立て中に長いレールを必要な水平位置に手で維持する必要があるため、一層困難である。
【００１４】
ポストとレールとを組み立てて開放床の縁に沿って延在する完成した防護柵とするために、そのような結合作業が多数回行われるため、防護柵の組み立てには非常に時間もかかる。
【００１５】
そのような防護柵は、通常、限られた期間内のみ使用されて、その後防護柵は再度分解されて床から除去される。これにより、上述の問題が、再度逆の順序で現れることになる。
【課題を解決するための手段】
【００１６】
建物又は足場の開放床の上にいる人間を、そのようなそのような床の開口から誤って転落し、重傷を負う、及び他の人間に怪我をさせる危険から防護するための上述の防護柵の欠点及び不利な点は本発明により解決されるが、これは即ち、
第１の態様において、本発明により、例えば建物又は足場の開放床に存在する人間や物体が前記開口から転落するのを効果的に防止できるように構成された、冒頭に記載された種類の防護柵を提供し、
第２の態様において、本発明により、安定した構造を有する、冒頭に記載された種類の防護柵を提供し、
第３の態様において、本発明により、防護柵の要素同士が誤って分離することが起こらない方式で防護柵の要素が組み立てられた、冒頭に記載された種類の防護柵を提供し、
第４の態様において、本発明により、安価で単純な構造を有する、冒頭に記載された種類の防護柵を提供し、
第５の態様において、本発明により、迅速且つ容易に組み立てと再分解が可能な、冒頭に記載された種類の防護柵を提供し、
第６の態様において、本発明により、例えば要素の集積と、要素の組み立てと再分解を行おうとする開放床との間で行き来して運搬するのが容易になるように適合された要素から構成された冒頭に記載された種類の防護柵を提供し、
第７の態様において、本発明により、一定の開放床の特定の開口用の防護柵において必要となる幅と高さに適合させた防護柵に組み立てることが可能な要素から構成された、冒頭に記載された種類の防護柵を提供することによって、解決される。
【００１７】
本発明により達成される新規で独特な特徴は、前記コネクタが、少なくとも１つの長さ方向に延在するスロットが形成された、細長い形状を有する少なくとも１つの第１のコネクタと、前記構造要素に結合される第１コネクタ部と前記第１のコネクタの前記スロットに係合して前記第１コネクタ部を前記第１のコネクタに結合する第２コネクタ部とからなる少なくとも１つの第２のコネクタとを含む点に在る。
【００１８】
この防護柵は、開放床の上にいる人間がそのような開放床の開口から転落することに対して、既存のものより一層確実な防護を与える。
【００１９】
この重要な利点は、防護柵の平坦な構造要素が、完成した防護柵における人間が通り抜けられる大きさの開口の存在を効果的に排除することによって得られる。
【００２０】
当該防護柵はさらに、一体的な構造に組み立てること、その後再度分解することを迅速且つ容易に行うことが可能な単純で安価な構造を有する。
【００２１】
当該防護柵の特定の構造は、本発明により、第１のコネクタが、それを開放床に持ち上げそこから再度下ろすための運搬を容易且つ危険を伴うことなく行えるように、それぞれ比較的短い長さを有するように形成されているものを含む。
【００２２】
そのように第１のコネクタを比較的短い長さとすることによって、本発明により、開放床の縁の近傍の狭い場所であっても防護柵の組み立てがさらに安全になる。
【００２３】
本発明の好適な実施形態においては、第１のコネクタのスロットは、それぞれＴ字型スロットでよく、第２のコネクタの第１コネクタ部が、構造要素に結合されるように適合された取付具であり、第２のコネクタの第２コネクタ部は、そのねじのナット又は頭部が前記Ｔ字型スロット内に配置された状態で、取付具を前記第１のコネクタにねじ締結するねじ継手であり、それによって第１のコネクタと構造要素との間の頑丈且つ耐久性ある結合を迅速且つ容易に確立することが可能となる。
【００２４】
Ｔ字型スロットを、例えば蟻継ぎ型スロット即ちスロットの開口がスロットの底部より狭くなっている他の種類の形状のスロットに置き換えることもでき、これによって第１のコネクタに孔を設けることなく第２のコネクタを第１のコネクタに固定することが可能となる。
【００２５】
本発明によれば、構造要素がフランジを備えるように形成され、上述の取付具のような第１コネクタ部が前記フランジに係合するように適合されたフックを備えるように形成されているとき、防護柵を、迅速且つ容易に、開放床の縁に配置されるのに適合した強固で安定な構造に組み立てることが可能となる。
【００２６】
この防護柵は、開放床の上の人間がその床の開口から誤って転落することを効果的に防止する役目を果たした後に逆の順番に再度分解することも、同様に迅速且つ容易に行うことができる。そのような事故は、床が高い位置にあるときに特に非常に危険である。
【００２７】
組み立てられた防護柵の単純な構造は、構造要素がそれぞれ４つの縁辺を有する方形又は矩形の形状を有するときに得られる。
【００２８】
その形状は、防護柵に、開放床の縁の位置を明確に示す非常に目立つ外観をも与える。それにより、そのような開放床の上にいる人間が、この重要な情報に自らを対応させて自分の足下に注意を払うことが可能になる。
【００２９】
本発明によれば、防護柵の各構造要素は、単にプレートとして形成することができ、或いは外枠の間に延在するネットとして形成することもできる。
【００３０】
本発明の好ましい実施形態では、各構造要素は、さらに、本発明者による国際公開ＷＯ２００５／０３１０８７Ａに開示された既知の閉鎖部材として形成することができる。この国際公開は、引用によりその内容を本出願の一部とする。
【００３１】
前記既知の閉鎖部材は、建設中、再建中、又は改装中の建物における開口を一時的に閉鎖する役目を果たし、主としてサイズを変更可能な矩形の枠と窓板材とからなり、任意のサイズの枠に取り付けることができる。
【００３２】
この既知の構造要素によって、本発明の防護柵は、一定の開放床の開口のサイズにそのサイズを適合させることが可能となるという利点が得られる。
【００３３】
枠の高さは、本発明によれば、防護柵が２つの連続する開放床の間全体にわたって延在するようにさらに変更することができ、これによって、防護柵が壁の後ろ側の空間を取り囲む壁を形成し、一年のなかで気温の低い期間中にはその空間の中にいると快適な温度に暖めておくことが可能となるという利点が得られる。
【００３４】
本発明の好ましい実施形態では、第１のコネクタのそれぞれを、完成した防護柵においてポストとして使用できる利点を有する管状部とすることができる。
【００３５】
比較的短い管状部が、特定の防護柵においてポストとしての役目を果たすための十分な長さを有しない場合、本発明によれば、相互に連続して配置された２本以上の管状部で十分な長さのポストを形成することができる。
【００３６】
開放床の上に配置された防護柵、そして開放床に取り付けられた防護柵の一部であるそのポストは、例えば風から、及び／又は誤って防護柵に体をぶつけた人間からの横向きの力の影響を受け、それによってポストに曲げ応力が生ずることがある。
【００３７】
そのような曲げ応力に耐えられるようにするため、本発明によれば、２つの連続して配置された第１のコネクタ、例えば上述の管状部を、バーからなる第３のコネクタによって相互に結合するものとし得る。バーは、管状部のＴ字型スロット又は蟻継ぎ型スロットのようなスロットの開口を両方の第１のコネクタの長さに沿ってカバーし、且つその頭部又はナットが両方の第１のコネクタのスロットに配置されるねじによって第１のコネクタにねじ締結される。
【００３８】
本発明によれば、２つの連続して配置された管状部の間の上記第３のコネクタは、２本以上の比較的短い管状部からなる比較的長いポストを、管状部間の境界において過剰に曲げが生じることがないように固定し、特に管状部の両端がそのように固定されている場合に効果的となる利点を有する。
【００３９】
構造要素の水平方向の縁辺と２つの連続して配置された管状部間の境界とを整合させないことによって、２つの連続して配置された管状部間の境界における曲げに対する強度が、関連する構造要素自体の曲げに対する強度によって強化されるという利点がさらに得られることになる。
【００４０】
防護柵と、それにより防護柵のポストとは上向きの力の影響も受けるので、ポストに引張応力が生ずることがある。
【００４１】
そのような引張応力に耐えられるようにするため、本発明によれば、２つの連続して配置される第１のコネクタ、例えば上述の管状部を、例えばロッドである第４のコネクタによって相互に結合するものとし得る。ロッドは、２つの連続して配置される第１のコネクタの両方の内部に形成されるガイドの少なくとも一部に沿って延在し、それにより第４のコネクタが、ピン、例えば第４のコネクタとガイドの壁とに位置する整合した開口を貫通するように延在するねじの胴部によって、２つの連続して配置される第１のコネクタの両方に固定され得ることになる。
【００４２】
例えば管状部である２つの連続して配置される第１のコネクタを結合するためのロッド等である第４のコネクタの好適な実施形態では、第４のコネクタを、過剰な材料を用いることなく必要な慣性モーメントを有する、ある長さの管とすることができる。
【００４３】
本発明によれば、管状部等である連続して配置された第１のコネクタを相互に結合し、構造要素を前記相互に結合された第１のコネクタに結合することによって、防護柵を組み立てることができる。
【００４４】
以下、本発明についてより詳細に説明し、さらなる有利な特徴及び技術的効果を示すとともに、図面を参照して例示的な実施形態を説明する。
【図面の簡単な説明】
【００４５】
【図１】本発明による防護柵の一部の、分解断面図である。
【図２】組み立てられた状態の防護柵を示している。
【図３】本発明による構造要素の側面図である。
【図４】構造要素の断面図である。
【図５】本発明による防護柵の一部の実施形態の、長さ方向断面図である。
【図６】同防護柵の一部の正面図である。
【図７】本発明による防護柵の一部の別の実施形態の長さ方向断面図である。
【図８】本発明による組み立てられた防護柵の一部分の側面図である。
【図９】本発明による防護柵の一部の第２の実施形態の断面の一部分を示している。
【図１０】本発明による第１のコネクタの第３の実施形態の断面図である。
【発明を実施するための形態】
【００４６】
図面に示す防護柵は、建物や足場の開放床の上にいる人間が、そのような床の開口から転落して負傷するのを防止する役目を果たす。
【００４７】
構造要素１は、（図３及び図４に示す）本実施形態では方形又は矩形のプレート３として形成され、プレートの周囲に沿って延在するフランジ４を備えており、当該フランジはプレートに垂直な第１フラップ５と第１フラップに垂直な第２フラップ６とから形成される。
【００４８】
当該要素は、例えば金属又はプラスチックから一体的に作られたものであるか、又は例えば金属、プラスチック若しくは木からなるプレートと、プレートの縁部に取り付けられた別体のフランジとから構成されたものであり得る。
【００４９】
本発明の範囲内で、要素は外枠に取り付けられたネットとして形成することもできる（図示せず）。
【００５０】
図１及び図２に示す管状部２は、本実施形態では、対をなす対向側部７及び８を有する概ね方形の断面を有する。
【００５１】
本発明の範囲内で、管状部の断面は（図１及び図２に示されていない）他の形状を有し得る。
【００５２】
管状部２は外壁９と、２対の内壁１０及び１１とを有し、２対の内壁は各対に対応する対をなす対向側部７及び８の間に延在し、管状部内に中央内管部１２が形成されるように相互に交差する。
【００５３】
管状部２の外壁９は、側部７及び８のそれぞれに長さ方向に延在するＴ字型スロット１３を備えるように形成され、Ｔ字型スロットは、管状部の外壁の開口１４と、管状部２の内壁１０及び１１の各対との間に延在し、且つ長さ方向に延在する凹部１６を備えるように形成された底部１５とを有する。
【００５４】
整合して位置する孔１７及び１８が、Ｔ字型スロット１３の長さ方向に延在する凹部１６の底部と、中央内管部１２の内壁の対にさらに形成される。
【００５５】
管状部２は、図８に示すように組み立てられた防護柵におけるポスト２として機能し、図２及び図７にその一部が示されるように、構造要素１は、本実施形態ではねじ継手１９と取付具２０とによってポスト２に結合されており、ここでねじ継手１９は、頭部２２、胴部２３、及びナット２４を備えたねじ２１からなり、取付具２０はフック２５と貫通孔２６とを備えるように形成されている。
【００５６】
構造要素１とポスト２との間の結合は、ねじ継手１９のねじ２１のナット２４又は頭部２２のいずれかを管状部２のＴ字型スロット１３内に配置し、構造要素１のフランジ４を取付具２０のフック２５に結合し、ねじ２１の胴部２３を取付具２０の孔２６を通して押し込み、ねじ継手１９を締結することによって、迅速且つ容易になされる。
【００５７】
構造要素１と管状部２との間でなされる結合は、開放床の上に載置される防護柵に求められる要請を効果的に満たすものである。
【００５８】
この結合はまた、開放床上の防護柵を使用後に迅速且つ容易に分解して床から取り除くことが可能な、着脱自在なものである。
【００５９】
前述のように、管状部２はそれぞれ比較的短い長さを有するものであってもよく、それにより、それを開放床に持ち上げ、そこから再度下ろすための運搬を容易に危険を伴うことなく行えるという利点が得られる。
【００６０】
そのような比較的短い管状部を使用することによって得られる他の利点は、建物（図示せず）又は足場（図示せず）の開放床（図示せず）の縁近傍の狭い場所であっても、取り扱いが容易且つ安全なことである。
【００６１】
比較的短い管状部が、特定の防護柵においてポストとしての役目を果たすための十分な長さを有しない場合、図５乃至８に示すように相互に連続して配置された２本以上の管状部で十分な長さのポストを形成することができる。
【００６２】
図８に示すように防護柵のポスト２は開放床３１に取り付けられるが、このとき防護柵は、風から、及び／又は誤って防護柵に体をぶつけた人間からの横向きの力の影響を容易に受けることがある。その力はポスト２に伝達され、それによってポストに強い曲げ応力が生じ得る。
【００６３】
防護柵の各ポストは、図８に示すように２つの連続して配置された管状部からなるが、それ自体では、２つの管状部の間の境界において上述の強い曲げ応力に耐えることができない。
【００６４】
この重大な問題は、図５及び６に示す２つの管状部の間の結合によって解決される。図５には、２つの管状部２が相互に連続して配置された長さ方向の部分が示され、図６には、正面からみた同部分が示されている。前記結合は、図２には断面も示されている。
【００６５】
２つの管状部２は、ある長さのバー２７によってそれらの対向側部８−８で相互に結合される。バーはＴ字型スロット１３の開口１４を両方の管状部の長さに沿ってカバーし、且つ図２の断面図にも示すようにその頭部２９又はナット３０が両方の管状部のT字型スロットに配置されるねじ２８によって両方の管状部のＴ字型スロットにねじ締結される。
【００６６】
防護柵のポストの２つの管状部の間のこの結合は、２つの管状部に両管状部間の境界における曲げに対する必要な強度を付与する利点が得られる単純で効果的な方式のものである。
【００６７】
図８に示す防護柵は、開放床３１上に配置されているとき、上向きの力の影響を受けることがある。ポストは当該床に取り付けられた防護柵の一部であるから、これらの力はポストに伝達される。図８では、各ポストが２つの連続して配置された管状部２からなる。
【００６８】
前記上向きの力が各ポストの２つの管状部を相互に引っ張るのを防止するための備えとして、本実施形態では、図２及び図７に示すように、ある長さの管３２を、２つの管状部の各内管部がその一部をなす管状部２の内管部１２に配置する。
【００６９】
図１及び図２に示すように、内管部１２とある長さの管３２は、本実施形態で方形の断面を有するように形成される。本発明の範囲内で、例えば内管部１２の断面を他の形状、例えば図９に示すような八角形とすることもできる。
【００７０】
ある長さの管３２は、管状部２のＴ字型スロット１３の長さ方向に延在する凹部１６の底部にある孔１７と、管状部２の内側壁１０−１０にある孔１８の両方とに位置する整合した孔３３を備えるように形成され、その頭部３５及びナット３６を管状部２の２つの対向して配置されたＴ字型スロットの長さ方向に延在する凹部１６に配置した状態で孔１７、１８、３３に押し込まれたねじボルト３４によって両管状部２に固定される。
【００７１】
図７は、ある長さの管３２と同じ断面を有するが、本実施形態ではより短い長さを有するように形成されたある長さの管３７を示す。
【００７２】
ある長さの管３７は、ある長さの管３２と同様に管状部２の内管部１２に取り付けられるが、管状部２の底部に配置され、管状部２を開放床３１に取り付けるための基部板３８に管状部２を結合する役目を果たす。
【００７３】
図７は、図２を参照して上述したのと同様に管状部２に取り付けられた、構造要素１の一部も示している。
【００７４】
２つの管状部２の間の境界と２つの連続して配置された構造要素１の間の境界とを整合させないことによって、構造要素自体が、本発明の防護柵のポストを形成する２本の管状部の間の境界の曲げモーメントを高めるという利点が得られることに留意されたい。
【００７５】
図９は、本発明の管状部３９の別の実施形態と、組み立てられた状態で本発明の防護柵のポストを構成する２つの連続して配置された管状部を相互に結合するためのある長さの管４０の別の実施形態の断面図である。
【００７６】
ある長さの管４０は、本実施形態では断面が八角形の形状を有するが、例えば方形の断面（図示せず）を有するものでもよい。
【００７７】
管状部３９は、図１及び図２に示すＴ字型スロット１３と同じ形状を有するＴ字型スロット４１を４つ備えるように形成される。しかし、管状部３９は対をなす内壁をもたない点で管状部２とは異なっている。
【００７８】
管４０は、対向する位置にあるＴ字型スロット４１の凹部４２に配置された頭部４４及びナット４５を有するねじボルト４３によって管状部３９に長さ方向に固定される。
【００７９】
防護柵の一部を示す上述の図８において、構造要素は、本発明者による特許公開ＷＯ２００５／０３１０８７Ａから既知の種のものであるが、ここでは概略的にのみ示されている。
【００８０】
前記既知の構造要素は、それぞれ、その構造要素が一部を構成する任意の防護柵の必要な高さと長さに応じてその高さと幅を変更するように適合された枠４６を備える。パネル４７は、枠４６に、当該枠がその高さと長さを変更できるように着脱自在に取り付けられる。
【００８１】
図８に示すように、既知の要素のサイズは、本実施形態では、防護柵が２つの連続する開放床の間全体にわたって延在し、それにより、防護柵が壁の後ろ側の空間を取り囲む壁を形成するように調節される。
【００８２】
このように、本発明の防護柵は、人間が誤って転落するのを防止するのに役立つのみならず、雨、雪、及び風を一時的に防ぎ、一年のなかで気温の低い期間中には建物の内部の熱を保持するのにも役立つという利点が得られる。
【００８３】
壁の形態の防護柵は、さらに、部外者が壁の後ろ側の空間へ入るのを防止するのにも役立つ。
【００８４】
パネルは例えば木又はガラスからなるものであってもよい。図８においては、２段の既知の構造要素が示されているが、その上段のパネルはガラス製、下段のパネルは木製とすることができる。
【００８５】
これによって、強度が高く、壁の後ろ側の空間に日差しが差し込むことも可能とするという利点を有する防護柵が得られる。
【００８６】
図示された防護柵のパネルを全てガラス製とすることもでき、また防護柵が２段以上に相互に積み重ねて配置した構造要素も備え得ることに留意されたい。
【００８７】
図９において、管状部は、本実施形態では相互に直角を形成する２つの構造要素に結合され、それにより、防護柵を方形又は矩形の開放床の縁に連続して従わせることが可能となるという利点が達成されることも理解できる。
【００８８】
本発明の防護柵のポストの上述の実施形態は、ある長さの管４０の慣性モーメントが２つの連続して配置される管状部に２つの管状部間の境界における曲げに対抗する必要な強度を付与するに十分な大きさであるのと同時に、より少ない材料で形成されるので、コストの節約になる。
【００８９】
図１０は、本発明の管状部４８の第３の実施形態を示し、この管状部は、少なくとも大部分は本発明の第１の実施形態２に対応する。したがって、同じ部品には同じ符号が付されている。しかし、管状部４８のこの第３の実施形態では、長さ方向に延在するＴ字型スロット１３の底部１５及び凹部１６が設けられておらず、このことにより一層単純でより安価な管状部となる利点が達成される。
【図１】
2014510213.tif 000003
【図２】
2014510213.tif 000004
【図３】
2014510213.tif 000005
【図４】
2014510213.tif 000006
【図５】
2014510213.tif 000007
【図６】
2014510213.tif 000008
【図７】
2014510213.tif 000009
【図８】
2014510213.tif 000010
【図９】
2014510213.tif 000011
【図１０】
2014510213.tif 000012
【国際調査報告】
2014510213.tif 000013
2014510213.tif 000014
2014510213.tif 000015
2014510213.tif 000016
2014510213.tif 000017
2014510213.tif 000018